(57)【特許請求の範囲】
【請求項１】
第１の端子と、クリップ状の第２の端子と、第１の端子と第２の端子の間に接続されるヒューズとを有するヒューズクリップにおいて、
第１の端子と第２の端子とを電気的に接続する第１のスイッチ及び第２のスイッチを有し、
第１のスイッチは、第１の端子に設けられるとともに、この第１の端子を検査対象部位に押しつけることで、オンになり、第１の端子を検査対象部位から離すとオフになるように構成され、
第２のスイッチは、第１の端子から離れた位置に設けられるとともに、第１のスイッチよりも、接点の接触が短時間にかつ確実に行われるように構成され、さらに、第１のスイッチのオン状態を維持した状態で、オン操作されることを特徴とするヒューズクリップ。
【請求項２】
前記第２のスイッチを収容する収容ボックスを有する請求項１に記載のヒューズクリップ。
【請求項３】
前記第２のスイッチがオンにならないようにロックするロック手段を有し、前記ロック手段は、第１のスイッチがオンになったときに、第２のスイッチをオンにできるように、そのロックを解除するように構成される請求項１又は２に記載のヒューズクリップ。
【請求項４】
前記ロック手段は、ソレノイドであり、このソレノイドの可動部材が第２のスイッチをロックする請求項３に記載のヒューズクリップ。
【請求項５】
前記第１の端子には、第１のスイッチがオンになったときに発光する発光手段が設けられる請求項１から４のいずれか１項に記載のヒューズクリップ。
【請求項６】
前記収容ボックスには、前記発光手段の電源が収容される請求項５に記載のヒューズクリップ。
【発明の詳細な説明】
【技術分野】
【０００１】
本発明は、例えば、電力会社で監視制御装置や遮断器、断路器などの点検を行う場合に使用されるヒューズクリップに関する。
【背景技術】
【０００２】
従来、例えば、電力会社では、機器点検時に電気回路（シーケンス回路）の健全性確認のためのシーケンス試験（警報動作試験）を行っている。電気回路が正常か否かは、故障検出用の検出器（以下、「故障検出器」と称する。）を実際に動作させたときに警報が出るか否かを確認することによって判断される。
【０００３】
このような試験を行う場合、ヒューズの両端にクリップを有する２つの端子を接続したものが用いられる。これはこの技術分野において、一般に「ヒューズクリップ」と呼ばれる（例えば特許文献１参照）。
【０００４】
シーケンス試験においては、故障検出器を動作させて警報を出すためには電気回路ができている必要があるので、故障検出器のところで閉回路を切った状態では故障検出器の入出力端子間（接点間）の電圧は所定の電圧値（たとえば、ＤＣ１００Ｖ）となっている。そこで、ヒューズクリップを用いて故障検出器の入出力端子間を電気的に短絡させて故障検出器の入出力端子間の電圧値を０Ｖとすることにより、警報を出すようにしている。
【０００５】
複数の入出力端子間で、上記のような試験を行う場合には、ヒューズクリップの一方の端子をクリップ状とし、他方の端子を棒状（針状）にして、クリップ状の端子を一箇所に固定した状態で、他方の棒状の端子を次々と試験対象となる端子に接触させれば、効率良く試験を行うことができる。
【先行技術文献】
【特許文献】
【０００６】
【特許文献１】特開２００６−２２３０６７号公報
【発明の概要】
【発明が解決しようとする課題】
【０００７】
ところで、ヒューズクリップを用いて上記の試験を行う場合、意図していない短絡、地絡等を防止する必要がある。この防止手段としては、例えば、ヒューズクリップにオン／オフスイッチを設けることが考えられる。
【０００８】
試験を行う場合にのみこのスイッチをオンにし、試験を行わない場合や準備中の場合に、このスイッチをオフにしておけば、２つの端子が電気的に接続されることがないので、不測の短絡、地絡等を防止できる。
【０００９】
例えばヒューズクリップの操作性を考えた場合、上記のようなスイッチをヒューズクリップの棒状の端子に設け、この端子を所定の検査対象部位（試験位置）に押しつけたときに、自動的にスイッチがオンになるようにし、検査対象部位から離したときに、オフとなるように構成すれば、上記のような不測の短絡、地絡を防止しながら、複数箇所での試験を効率良く行うことができる。
【００１０】
しかしながら、棒状の端子は、検査対象部位の大きさに合うように小型のものであり、スイッチもこの端子に応じて小型のものが使用されることになる。
【００１１】
このような場合、ヒューズクリップの端子を検査対象となる回路に接触させる場合に、作業中に端子を複数回接触させるとチャタリング現象が発生し、正確な検査に支障をきたす場合が考えられる。チャタリングとは、一般に、リレーやスイッチの接点が切り替わった際に、微細で非常に速い機械的振動によって、電気信号が断続を繰り返す現象をいう。
【００１２】
上記のように、比較的小型となるヒューズクリップの端子にスイッチが設けられると、スイッチの接点も小さくなり、これによってチャタリングが生じやすくなるおそれがある。
【００１３】
本発明はこのような事情に鑑みてなされたものであり、チャタリングを可及的に軽減できるようにしたヒューズクリップを提供することを課題とする。
【課題を解決するための手段】
【００１４】
本発明は、上記の課題を解決するためのものであって、第１の端子と、クリップ状の第２の端子と、第１の端子と第２の端子の間に接続されるヒューズを有するヒューズクリップにおいて、第１の端子と第２の端子とを電気的に接続する第１のスイッチ及び第２のスイッチを有し、第１のスイッチは、第１の端子に設けられるとともに、この第１の端子を検査対象部位に押しつけることで、オンになり、第１の端子を検査対象部位から離すとオフになるように構成され、第２のスイッチは、第１のスイッチよりも、接点の接触が短時間にかつ確実に行われるように構成され、さらに、第１のスイッチのオン状態を維持した状態で、オン操作されることを特徴とする。
【００１５】
かかる構成によれば、第１のスイッチと第２のスイッチの２つのスイッチを備えるとともに、第２のスイッチが、第１のスイッチよりも、接点の接触が短時間にかつ確実に行われるように構成されることから、このヒューズクリップは、第１のスイッチがオンになった状態で、この動作安定性の高い第２のスイッチをオンにすることで、チャタリングの発生を抑止できるようになる。
【００１６】
また、本発明に係るヒューズクリップは、前記第２のスイッチを収容する収容ボックスを有することが望ましい。
【００１７】
かかる構成によれば、第２のスイッチを収容ボックスに収容することで、動作安定性に優れた第２のスイッチを安定した状態で操作できるようになる。
【００１８】
また、本発明に係るヒューズクリップは、前記第２のスイッチがオンにならないようにロックするロック手段を有し、前記ロック手段は、第１のスイッチがオンになったときに、第２のスイッチをオンにできるように、そのロックを解除するように構成されることが望ましい。
【００１９】
かかる構成によれば、ロック手段によって、第１のスイッチがオンにならなければ、第２のスイッチをオンにすることができなくなり、動作安定性に優れた第２のスイッチによるチャタリングの発生の抑止に加えて、第１のスイッチで発生するチャタリングをも効果的に抑止することができるようになる。
【００２０】
また、本発明に係るヒューズクリップの前記ロック手段は、ソレノイドであり、このソレノイドの可動部材が第２のスイッチをロックする構成を採用できる。
【００２１】
かかる構成によれば、ロック手段をソレノイドで構成することによって、動作安定性に優れた第２のスイッチによるチャタリングの発生の抑止に加えて、第１のスイッチで発生するチャタリングをも効果的に抑止することができるようになる。
【００２２】
また、本発明に係るヒューズクリップの前記第１の端子には、第１のスイッチがオンになったときに発光する発光手段が設けられる構成を採用できる。
【００２３】
かかる構成によれば、発光手段が第１のスイッチがオンになっていることを報知する手段にもなる。これによって、第１のスイッチがオンになっているか否かを容易に確認できるようになる。
【００２４】
また、本発明に係るヒューズクリップの前記収容ボックスには、前記発光手段の電源が収容される構成を採用できる。
【００２５】
かかる構成によれば、収容ボックスに電源が収容されることによって、この収容ボックスを携帯できるようになり、作業性を向上することができる。
【発明の効果】
【００２６】
本発明によれば、チャタリングを可及的に軽減できるようにしたヒューズクリップを提供することができる。
【図面の簡単な説明】
【００２７】
【図１】本発明の第１実施形態にかかるヒューズクリップを示す概略的な回路図である。
【図２】本発明の第２実施形態にかかるヒューズクリップを示す概略的な回路図である。
【発明を実施するための形態】
【００２８】
以下、本発明を実施するための形態について図面を参照しながら説明する。
【００２９】
図１は、本発明に係るヒューズクリップ１の第１実施形態を示す。本実施形態におけるヒューズクリップ１は、第１の端子２及び第２の端子３と、所定の機器を収容する収容ボックス（収容部）４とを有する。
【００３０】
第１の端子２は、図例では明確に理解できるように、模式的に示しているが、実際は、作業者が片手で握ることが可能なペン状（棒状）に構成されている。第１の端子２は、接続線５を介して収容ボックス４と繋がっている。
【００３１】
第１の端子２は、その端部から突出するとともに検査対象部位に接触可能な接触部６と、接触部６に接続されるスイッチ（以下「第１のスイッチ」という）７と、発光手段８と、発光手段８を操作するためのスイッチ（以下「第１操作スイッチ」という）９とを有する。なお、ここで試験対象部位とは、試験対象の装置に予め備えられている試験用の端子・接点に限られるものではなく、試験箇所の配線に直接接続する場合であっては、その配線なども含まれる。
【００３２】
接触部６は、金属製で、ピン状（針状）に構成されている。この接触部６は、ヒューズクリップ１を使用する際に、検査対象となる回路の部位に接触させるためのものである。接触部６はその一端部が第１の端子２の一端部から突出し、他端部が第１の端子２内で第１のスイッチ７と接続されている。
【００３３】
第１のスイッチ７は、接続線５を介して収容ボックス４と繋がっている。第１のスイッチ７は、第１の端子２が検査対象の所定の部位に接触し、所定の圧力がかかったときにオンになる。これにより、第１の端子２は、収容ボックス４に対して電気的に接続可能になる。なお、本実施形態では、第１のスイッチ７として、マイクロスイッチが用いられている。
【００３４】
発光手段８には、図１に示すように、第１のスイッチ７がオンになったことを作業者に報知するためのもの（以下「第１発光手段」という）８ａと、作業場所を照らすためのもの（以下「第２発光手段」という）８ｂとがある。第２発光手段８ｂは、特に接触部６近辺が発光するように配置されている。第１発光手段８ａは、作業者が接触部６を検査対象部位に合わせたときに、認識可能な位置に設けられておれば、どのような位置に設けられていてもよい。本実施形態において、各発光手段８ａ，８ｂには、発光ダイオードが用いられている。
【００３５】
発光手段の第１操作スイッチ９は、第１のスイッチ７と連動するように第１の端子２内に設けられている。第１操作スイッチ９は、第１のスイッチ７がオンになったときに、これに連動してオンになる。第１操作スイッチ９がオンになると、収容ボックス４と電気的に接続される。この接続がなされると、収容ボックス４から電力が供給されることにより、第１発光手段８ａが発光する。接触部６を検査対象となる回路の部位に接触させたとき、第１発光手段８ａが点灯した場合、第１操作スイッチ９は、電流が流れている状態にある。すなわち、第１のスイッチ７がオフからオンに切り替わったことが判別できる。しかし、第１発光手段８ａが消灯したまま点灯しない場合、第１操作スイッチ９は、電流が流れておらず、電流が遮断されている状態にある。すなわち、第１のスイッチ７がオフからオンに切り替わっていないことが判別できる。このことから、第１発光手段８ａの発光状態から第１のスイッチ７が確実に接触しているか否かを判別することができる。なお、第１操作スイッチ９には、例えばマイクロスイッチが用いられる。
【００３６】
第２の端子３は、クリップ状に構成されている。これにより、第２の端子３を検査対象となる回路の部位に固定することができる。この第２の端子３は、接続線１０を介して収容ボックス４と繋がっている。
【００３７】
収容ボックス４は、第１の端子２と第２の端子３を接続するためのスイッチ（以下「第２のスイッチ」という）１１と、ヒューズ１２と、発光手段８（８ａ，８ｂ）の電源１３と、第２発光手段８ｂを操作するためのスイッチ（以下「第２操作スイッチ」という）１４が収容されている。
【００３８】
第２のスイッチ１１は、押しボタンタイプ（マイクロスイッチ）のような動作安定性に優れたものが用いられる。第２のスイッチ１１はボタンの部分が収容ボックス４の外に露出しており、収容ボックス４の外側から操作できるように構成される。
【００３９】
なお、本実施形態において、「動作安定性」とは、スイッチの接点の接触ができるだけ短時間にかつ確実に行われるものをいう。また、スイッチの接点の接触面積を大きくすることによっても動作安定性を向上できる。本実施形態では、第２のスイッチ１１は、第１の端子２から離れた位置にある収容ボックス４に設けられることから、第２のスイッチ１１は、第１のスイッチ７よりも大型のものを採用できる。これによっても第２のスイッチ１１の動作安定性を第１のスイッチ７よりも高めることが可能になる。
【００４０】
ヒューズ１２は、収容ボックス４内において、第２のスイッチ１１と第２の端子３の間に接続されている。このヒューズ１２は、第１の端子２若しくは第３の端子３を検査対象となる回路の部位に誤って接続することにより、試験対象装置のヒューズを溶断させたり、焼損させたりすることを未然に防止するために設けられている。ヒューズ１２は、このような大電流が流れると溶断し、電流を遮断するようになっている。
【００４１】
電源１３は、第１の端子２の発光手段８を発光させるためのものである。この電源１３には、第１の端子２の第１発光手段８ａと第２発光手段８ｂとが並列に接続されている。この本実施形態において、電源１３には電池が採用されている。図例では、複数の電池が収容ボックス４内で直列に設けられている。
【００４２】
第２操作スイッチ１４は、電源１３及び前記第２発光手段８ｂと直列に接続されている。第２操作スイッチ１４は、その操作部が収容ボックス４の外に露出しており、収容ボックス４の外から操作できるようになっている。第２操作スイッチ１４をオンにすると、電源１３から供給される電力により、第２発光手段８ｂが発光する。この第２操作スイッチ１４は、第１のスイッチ７のオン・オフにかかわらずに第２発光手段８ｂを発光させることができるように、電源１３に接続されている。たとえば、暗所などで検査対象部位が暗くて視認しづらいときに、この第２操作スイッチ１４をオンすることにより、第２発光手段８ｂが発光し、接触部６及び検査対象部位を照明するため、検査対象部位に容易に接触させることができる。
【００４３】
以下、本実施形態のヒューズクリップ１の使用方法について説明する。
【００４４】
ヒューズクリップ１は、例えば、機器点検時に電気回路（シーケンス回路）の健全性確認のために、故障検出器を介してシーケンス試験（警報動作試験）を行う場合に使用される。この場合、故障検出器を動作させて警報を強制的に出させるために、ヒューズクリップ１を用いて故障検出器の入出力端子間を電気的に短絡させる。
【００４５】
このために、まず、第２の端子３を検査対象となる回路のプラス側に接続する。その後、第１の端子２を検査対象となる部位に接触させる。このとき、所定の力で、第１の端子２を該当部位に押しつけると、接触部６が後退し、第１のスイッチ７がオンになる。このように接触部６が検査対象となる部位に接触した状態を維持し、収容ボックス４の第２のスイッチ１１を押す。
【００４６】
そうすると、第２のスイッチ１１がオンになり、第１の端子２と第２の端子３とが電気的に接続される。これにより、検査対象となる２箇所の短絡がなされ、所定の検査が行われる。この場所での検査が終わると、第１の端子２を、接触している部位から離し、他の検査部位へと接触させて同じ検査を行う。これを必要回数繰り返すことで、所望の検査が行われる。
【００４７】
以上説明した本実施形態に係るヒューズクリップ１によれば、第１のスイッチ７と第２のスイッチ１１の２つのスイッチを備えるとともに、第２のスイッチ１１が動作安定性に優れたものとされることから、第１のスイッチ７がオンになった状態で、この動作安定性の高い第２のスイッチ１１をオンにすることで、故障検出器に対するチャタリングの発生を抑止できるようになる。
【００４８】
また、第２のスイッチ１１を収容する収容ボックス４を有することから、第２のスイッチ１１を収容ボックス４に収容することで、動作安定性に優れた第２のスイッチ１１を安定した状態で操作できるようになる。更には、第２のスイッチ１１が第１の端子２から離れた位置に設けられているため、誤って第１のスイッチ７と第２のスイッチ１１を同時にオンしてしまうことで検査対象となる２箇所の接点が短絡することも防止できる。
【００４９】
また、第１発光手段８ａが設けられるため、第１発光手段８ａが第１のスイッチ７がオンになっていることを報知する手段にもなる。これによって、第１のスイッチ７がオンになっているか否かを容易に確認できるようになる。
【００５０】
また、第２発光手段８ｂが設けられるため、第２発光手段８ｂを点灯することにより、接触部６及び試験対象部位を照明することができ、接触部６を容易に試験対象部位に接触できるようになる。
【００５１】
また、前記収容ボックス４に、前記発光手段８ａ，８ｂの電源１３が収容されているため、収容ボックス４に電源１３が収容されることによって、この収容ボックス４を携帯できるようになり、作業性を向上することができる。
【００５２】
図２は、本発明に係るヒューズクリップ１の第２実施形態を示す。本実施形態が第１実施形態と共通する部分には、共通符号を付してその説明を割愛する。本実施形態に係るヒューズクリップ１は、第２のスイッチ１１をロックするロック手段２１を有しており、また、第１発光手段８ａを備えていないという点が第１実施形態と異なる。
【００５３】
ロック手段２１は、収容ボックス４内に収容されている。本実施形態において、ロック手段２１にはソレノイド２２が採用される。このソレノイド２２は、収容ボックス４内に収容されている。ソレノイド２２は、可動部材２３と、可動部材２３を保持する保持部材２４とを有する。
【００５４】
図２は、第１のスイッチ７がオフになっており、ロック手段２１としてのソレノイド２２は、可動部材２３が保持部材２４から突出した状態を示している。可動部材２３は、保持部材２４から突出した状態において、第２のスイッチ１１がオンにならないように、この第２のスイッチ１１を掛止している。これにより、第２のスイッチ１１は第１のスイッチ７がオフの状態において、オンにならないように（オフの状態のままで）ロックされる。
【００５５】
この状態から第１のスイッチ７がオンになると、電源１３の電力がソレノイド２２に供給され、可動部材２３が保持部材２４に向かって待避する。可動部材２３が待避すると、この可動部材２３による第２のスイッチ１１の掛止が解除される。これによって、第２のスイッチ１１のロックが解除され、第２のスイッチ１１を操作することができる。この状態から第２のスイッチ１１を押すとオンになり、これによって第１の端子２と第２の端子３とを電気的に接続できる。
【００５６】
以上説明した第２実施形態に係るヒューズクリップ１は、ソレノイド２２によるロック手段２１によって、第１のスイッチ７がオンにならなければ、第２のスイッチ１１をオンにすることができなくなり、動作安定性に優れた第２のスイッチ１１によるチャタリングの発生の抑止に加えて、第１のスイッチ７で発生するチャタリングをも効果的に抑止することができるようになる。
【００５７】
なお、本発明は上記の実施形態に限らず、以下のように種々の変形・変更が可能である。
【００５８】
例えば、上記の実施形態では、第１のスイッチ７、第２のスイッチ１１、操作スイッチ等にマイクロスイッチを使用した例を示したが、これに限らず、他の種々のスイッチを用いてもよい。
【００５９】
上記の第２実施形態では、ロック手段２１としてソレノイド２２を用いた例を示したが、これに限定されず、他の種々のロック機構を使用することができる。
【００６０】
上記の実施形態では、第２のスイッチ１１が押しボタンスイッチ（自動復帰メーク接点）である例を示したが、これに限定されず、使用する状況に合わせて適宜変更することができる。例えば、第１のスイッチ７を長時間オンするようなときは、１回目の押し操作で内部に設けた機械的なロック機構によりオン動作状態が保持され、２回目の押操作でロックが解除されオフ動作に戻るスイッチを用いてもよい。
【符号の説明】
【００６１】
１…ヒューズクリップ、２…第１の端子、３…第２の端子、４…収容ボックス、５…接続線、６…接触部、７…第１のスイッチ、８…発光手段、８ａ…第１発光手段、８ｂ…第２発光手段、９…第１操作スイッチ、１０…接続線、１１…第２のスイッチ、１２…ヒューズ、１３…電源、１４…第２操作スイッチ、２１…ロック手段、２２…ソレノイド、２３…可動部材、２４…保持部材
【図１】
0005452294.tif 000002
【図２】
0005452294.tif 000003